Podtech/llm-jp-corpus-v4-ja_patent huggingface dataset:
(57)【要約】      （修正有）【課題】安価に作成し、かつ収納するカタログの内容によって内部の構造を変化させることができる組立カタログスタンドを提供する。【解決手段】薄手のフィルムシート材料を用いて作成し、トムソン加工で打ち抜いた本物品を組み立てることで立体的な構造をもたせ、カタログを収納することができ、また、複数種のカタログを収納するための任意に組み立てることができるひな壇構造を備えている。【選択図】図３
0003201649.tif 000002
【実用新案登録請求の範囲】
【請求項１】
薄手のフィルム材料をトムソン加工により打ち抜くことでシート内に折罫、差し込み、スリットを備え、差し込みとスリットを嵌合させることで表出する空間の中にカタログやチラシを保管できることを特徴とする組立カタログスタンド。
【請求項２】
請求項１に記載の組立カタログスタンドは、あらかじめトムソン加工によって打ち抜かれた当該物品内の任意の部分の差し込みとスリットを嵌合させることで、カタログ収納部が２段階の高さを持つひな壇構造に変化することを特徴とする組立カタログスタンド。
【請求項３】
請求項１に記載の薄手のフィルム材料に対する印刷は、オフセット印刷を用いて絵や文字、写真を印刷されたことを特徴とする請求項１に記載の組立カタログスタンド。
【考案の詳細な説明】
【技術分野】
【０００１】  本考案は主として、薄手のフィルム材料に対して文字や図画を印刷した、多目的に使用できる利便性の高いノベルティー商品あるいは小売商品に関するものである。
【背景技術】
【０００２】  従来の組立カタログスタンドはカタログ収納部分にひな壇構造を持たず、複数種のカタログを収納するときにカタログ同士が混同することがあった。
【考案が解決しようとする課題】
【０００３】  従来の組立カタログスタンドのカタログ収納部に２段階のひな壇構造を設けることで、カタログ掲示の際の視認性を向上させるものである。
【０００４】  従来の射出成型で作製されたカタログスタンドは無地のものが多かったが、シート状から組み立てることで立体構造になる本物品には印刷により任意の写真や図画を選択できるものとする。
【０００５】  製品の組立前の構造が薄いシート状であることから、従来の射出成型に比べて納品形態が嵩張らず輸送時のコストメリットがあるものとする。
【課題を解決するための手段】
【０００６】  従来のカタログスタンドは、射出成型などの方法を用いて作成されていた、そのため金型代などのコスト面の高騰が課題であった。本物件である組立カタログスタンドは薄手のフィルム材料を使用し、トムソンで打ち抜き加工し、組み立てることで安価で丈夫なカタログスタンドを提供するものである。また、オフセット印刷を施すことで販促品や小売商品として対応できるものである。
【考案実施の形態】
【０００７】  図１は本考案の組立カタログスタンド（１）の視図である。図１で組立カタログスタンド（１）には固定用のスリット（ａ１）（ａ２）（ａ３）（ａ４）、差し込み（ｂ１）（ｂ２）（ｂ３）（ｂ４）が施され、それぞれが対になり組み込まれることで、シート状から立体的なカタログスタンドへ構造を変化させることができる。また、収納するカタログの種類によってひな壇構造を表出させるための差し込み（ｄ）、カタログを固定するための壇（ｅ）差し込み（ｄ）を固定するためのスリット（ｃ）（ｃ）（ｄ）（ｅ）を組立カタログスタンド（１）に係止するための（１）に接している折罫（ｆ）を備えている。
【０００８】  図２は本考案の組立カタログスタンド（１）をシート状から立体構造へ組み立てた場合の視図である。固定用のスリット（ａ１）（ａ２）（ａ３）（ａ４）、差し込み（ｂ１）（ｂ２）（ｂ３）（ｂ４）をそれぞれ組み合わせることで、当該物品にカタログを収納できる空間ができる。また、差し込み（ｄ）、カタログを固定するための壇（ｅ）スリット（ｃ）はひな壇構造を必要としない場合は、図中のようにそれぞれは組立スカタログスタンド本体に折罫（ｆ）によって係止された状態にある。
【０００９】  図３は本考案のカタログスタンド（１）の内部にひな壇構造を表出させた場合の視図である。差し込み（ｄ）、カタログを固定するための壇（ｅ）スリット（ｃ）は組立カタログスタンド（１）と接する折罫（ｆ）から組立カタログスタンド（１）内部へ折り込まれ、差し込み折罫（ｄ）はスリット（ｃ）へ固定される。
【図面の簡単な説明】
【００１０】
【図１】本考案の組立カタログスタンドの視図
【図２】図１の組立カタログスタンドを組立立体構造にした場合の視図
【図３】図１の組立カタログスタンドの内部にひな壇構造を表出させた場合の視図
【符号の説明】
【００１１】１    組立カタログスタンド
ａ１  固定用スリット
ａ２  固定用スリット
ａ３  固定用スリット
ａ４  固定用スリット
ｂ１  固定用差し込み
ｂ２  固定用差し込み
ｂ３  固定用差し込み
ｂ４  固定用差し込み
ｃ    ひな壇用固定スリット
ｄ    ひな壇用差し込み
ｅ    ひな壇
ｆ    係止用折罫
【図１】
0003201649.tif 000003
【図２】
0003201649.tif 000004
【図３】
0003201649.tif 000005
【手続補正書】
【提出日】平成27年9月17日(2015.9.17)
【手続補正１】
【補正対象書類名】実用新案登録請求の範囲
【補正対象項目名】請求項２
【補正方法】変更
【補正の内容】
【請求項２】
請求項１に記載の組立カタログスタンドは、あらかじめトムソン加工によって打ち抜かれた組立カタログスタンド内の任意の部分の差し込みとスリットを嵌合させることで、カタログ収納部が２段階の高さを持つひな壇構造に変化することを特徴とする組立カタログスタンド。
(57)【要約】      （修正有）【課題】裏当金を使用しない溶接の場合にも、溶接端部に欠陥が生ぜず、しかも、溶接端部からの溶接メタルの漏れを防止できるセラミックタブを提供する。【解決手段】セラミックタブ１０は、ルートギャップを取らずに溶接を行う場合に溶接端部に使用するセラミックタブであって、本体１２、およびこの本体の正面および背面の少なくとも一方に凹み状に形成され、溶融メタルを受けるスラグポケット１４を備え、このスラグポケットは、本体の上面２０から下方に下部に所定の間隔を置いた位置まで略Ｖ字形状に伸び、スラグポケットの下部に、裏当材を使用しない溶接方法に対応するために、溶接端部下部からの溶融メタルの漏れを防ぐため、裏当に相当するランド部が形成されている。【選択図】図１
0003201734.tif 000002
【実用新案登録請求の範囲】
【請求項１】
ルートギャップを取らずに溶接を行う場合に溶接端部に使用するセラミックタブであって、本体、およびこの本体の正面および背面の少なくとも一方に凹み状に形成され、溶融メタルを受けるスラグポケットを備え、このスラグポケットは、前記本体の上面から下方に下部に所定の間隔を置いた位置まで伸び、該スラグポケットの下部に、裏当材を使用しない溶接方法に対応するために、溶接端部下部からの溶融メタルの漏れを防ぐため、裏当に相当するランド部が形成されていることを特徴とするセラミックタブ。
【請求項２】
前記スラグポケットの深さが、１〜２ｍｍである請求項１のセラミックタブ。
【考案の詳細な説明】
【技術分野】
【０００１】
本考案は、セラミックタブに関し、更に詳細には、ルートギャップを取らずに溶接を行う場合に溶接端部に使用するセラミックタブに関する。
【背景技術】
【０００２】
ルートギャップを取らずに行われる溶接は、主に橋梁や土木の土台を製造するときに使用される。橋梁や土木などは裏当金を使用せずに溶接するため、ルートギャップを取らずに溶接をし、一層目を除去、その後背面から再び一層目部分を溶接して完成させる。裏当金を使用しない理由は、繰り返し荷重による裏当金部分からの破断の可能性を排除するためである。
【０００３】
このような溶接に使用されるセラミックタブは、裏当金を使用しないため、スラグポケットが無い平坦な形状となっている。
【考案の概要】
【考案が解決しようとする課題】
【０００４】
しかしながら、このような平坦な形状のセラミックタブを用いた場合には、スラグポケットが無いため、溶接端部に欠陥が生じやすいという問題がある。
【０００５】
そこで、本考案は、裏当金を使用しない溶接の場合にも、溶接端部に欠陥が生ぜず、しかも、溶接端部からの溶接メタルの漏れを防止できるセラミックタブを提供する。
【課題を解決するための手段】
【０００６】
前記課題は、本考案による下記（１）および（２）の構成のセラミックタブにより解決される。
（１）
ルートギャップを取らずに溶接を行う場合に溶接端部に使用するセラミックタブであって、本体、およびこの本体の正面および背面の少なくとも一方に凹み状に形成され、溶融メタルを受けるスラグポケットを備え、このスラグポケットは、前記本体の上面から下方に下部に所定の間隔を置いた位置まで伸び、該スラグポケットの下部に、裏当材を使用しない溶接方法に対応するために、溶接端部下部からの溶融メタルの漏れを防ぐため、裏当に相当するランド部が形成されていることを特徴とするセラミックタブ。
（２）
前記スラグポケットの深さが、１〜２ｍｍである請求項１のセラミックタブ。
【考案の効果】
【０００７】
本考案のセラミックタブによれば、スラグポケットを備えているので、スラグの吸収ができ、したがって、溶接端部の欠陥を防止することができる。また、本考案のセラミックタブは、裏当として機能するランド部を備えているので、溶接端部からの溶融メタルの漏れを防止できる。
【図面の簡単な説明】
【０００８】
【図１】本考案の実施形態によるセラミックタブの正面、平面および右側面を示す斜視図である。
【図２】本考案の実施形態によるセラミックタブの背面、底面および左側面を示す斜視図である。
【図３】本考案の実施形態によるセラミックタブを溶接母材に取り付けた状態で示した斜視図である。
【考案を実施するための形態】
【０００９】
以下、添付図面を参照しつつ、本考案の実施形態によるセラミックタブタブ１０の構造を説明する。
本セラミックタブ１０は、ルートギャップを取らずに溶接を行う場合に溶接端部に使用するセラミックタブである。セラミックタブ１０は、本体１２、およびこの本体の正面および背面の少なくとも一方に凹み状に形成され、溶融メタルを受けるスラグポケット１４を備えている。
【００１０】
このスラグポケット１４の深さは、１〜２ｍｍが好ましい。通常のセラミックタブのスラグポケットの深さは、３ｍｍであるが、上記のように浅くすることにより、スラグの吸収に必要な深さを確保しつつ、スラグポケットにおける溶接金属の出っ張りを極力小さくしている。
【００１１】
このスラグポケット１４は、ほぼＶ字形をしており、前記本体１２のこのスラグポケット１４の一方の側には、第１母材Ｍ１の側面に接触する第１非溶接使用面１６が、他の側には、第２母材Ｍ２の側面に接触する第２非溶接使用面１８がそれぞれ設けられている。前記スラグポケット１４の第２母材Ｍ２側の側面は、該第２母材Ｍ２の開先角度に合わせた傾斜面となっている。
【００１２】
前記スラグポケット１４は、前記本体１２の上面２０から下方に下部に所定の間隔を置いた位置まで伸び、該スラグポケット１４の下部に、裏当材を使用しない溶接方法に対応するために、溶接端部下部からの溶融メタルの漏れを防ぐため、裏当に相当するランド部２２が形成されている。
【００１３】
前記スラグポケット１４は、図１および図２に示したように、本体１２の正面および背面の両方に回転対称に設けられていることが好ましい。
以上説明したセラミックタブ１０を両方の溶接端部に取り付けた状態を図３に示した。
【符号の説明】
【００１４】
１０  セラミックタブ
１２  本体
１４  スラグポケット
１６  第１非溶接使用面
１８  第２非溶接使用面
２０  上面
Ｍ１  第１母材
Ｍ２  第２母材
【図１】
0003201734.tif 000003
【図２】
0003201734.tif 000004
【図３】
0003201734.tif 000005
【手続補正書】
【提出日】平成27年10月15日(2015.10.15)
【手続補正１】
【補正対象書類名】明細書
【補正対象項目名】０００９
【補正方法】変更
【補正の内容】
【０００９】
以下、添付図面を参照しつつ、本考案の実施形態によるセラミックタブ１０の構造を説明する。
本セラミックタブ１０は、ルートギャップを取らずに溶接を行う場合に溶接端部に使用するセラミックタブである。セラミックタブ１０は、本体１２、およびこの本体の正面および背面の少なくとも一方に凹み状に形成され、溶融メタルを受けるスラグポケット１４を備えている。
(57)【要約】      （修正有）【課題】Ｔ字型・Ｉ字型・手持ち使用でき、隙間や身体に近い箇所および遠い箇所のいずれであっても作業しやすいモップを提供する。【解決手段】装着された不織布を清掃部位に押し付けるための押圧部と柄を有するヘッドおよびヘッドに交換・装着可能な清掃用不織布とからなるモップであって、押圧部の表面がゴム、スポンジ等の弾性体で形成され、柄が本体に対し平行・直交の両方向での固定を可能とした。弾性体の厚みが８ｍｍ以上、４０ｍｍ以下であって、作業時に押圧された際にもその厚みの３０％以上を維持することで、不織布を均一に被清掃面に押圧することができ、汚れの拭き残しを減らすことができる。【選択図】図１
0003201766.tif 000002
【実用新案登録請求の範囲】
【請求項１】
装着された不織布を清掃部位に押し付けるための押圧部と柄を有するヘッドおよびヘッドに交換・装着可能な清掃用不織布とからなるモップであって、押圧部の表面がゴム、スポンジ等の弾性体で形成され、柄が本体に対し平行・直交の両方向での固定を可能としたことを特徴とするモップ。
【請求項２】
請求項１に記載の弾性体の厚みが８ｍｍ以上、４０ｍｍ以下であって、作業時に押圧された際にもその厚みの３０％以上を維持していることを特徴とする請求項１に記載のモップ
【考案の詳細な説明】
【技術分野】
【０００１】
この考案は、自動車の外装や床等を清掃するためのモップに関するものである。
【背景技術】
【０００２】
従来、不織布や紙等からなる使い捨ての布をヘッドに取り付けて床や家具等を清掃するものは、特許文献１等により公知であり、清掃時に適宜布を交換して使用することが行われている。
【特許文献１】公開平７−８４３４号
【考案の開示】
【考案が解決しようとする課題】
【０００３】
特許文献１に記載のモップ研磨具では、Ｔ字型の外形をしているため隙間や身体に近い箇所または遠い箇所の作業がしづらく、また不織布の交換の手間が掛るものであった。
【０００４】
この考案は、上記のような従来技術に存在する問題点に着目してなされたものである。その目的とするところは、Ｔ字型・Ｉ字型・手持ち使用でき、隙間や身体に近い箇所および遠い箇所のいずれであっても作業しやすいモップを提供することにある。
【課題を解決するための手段】
【０００５】
上記の目的を達成するために、本考案のモップは、柄が本体に対し平行・直交の両方向での固定を可能とした。
また、弾性体の厚みが８ｍｍ以上、４０ｍｍ以下であって、作業時に押圧された際にもその厚みの３０％以上を維持していることで、不織布を均一に被清掃面に押圧することができ、汚れの拭き残しを減らすことができる。
【０００６】
本考案のモップのヘッドの片面には、装着された不織布を清掃部位に押し付けるため、ゴムやスポンジ等の弾性体からなる押圧部が設けられている。
弾性体の厚みは、８ｍｍ以上、４０ｍｍ以下であって、作業時に押圧された際にもその厚みの３０％以上を維持していることが好適である。
【０００７】
一方、押圧部と反対の面には、柄を本体に対し平行・直交の両方向での固定を可能とする柄の結合穴が設けられ、さらに不織布を噛み込み固定が可能な櫛歯が設けられている。
【考案の効果】
【０００８】
本考案のモップは、柄が本体に対し平行・直交の両方向での固定を可能とした。このためＴ字型・Ｉ字型・手持ち使用ができ、隙間や身体に近い箇所および遠い箇所のいずれであっても固定方法を切り替えてまたは柄を外しての作業が可能である。
また、弾性体の厚みが８ｍｍ以上、４０ｍｍ以下であって、作業時に押圧された際にもその厚みの３０％以上を維持していることで、不織布を均一に被清掃面に押圧することができ、汚れの拭き残しを減らすことができる。
【考案を実施するための最良の形態】
【０００９】
以下にこの考案を具体化した一実施形態に基づいて詳細に説明する。
【実施例１】
【００１０】
図１に示される本考案のモップは、柄が本体に対し直交方向での固定して使用する態様を表している。
ポリプロピレンで成形されたヘッド及び柄を、直交に勘合させることでＴ字型とし、幅の広い面を効率よく清掃することができる。
ヘッドの押圧面にはスポンジが接着固定されている。押圧面の反対側には熱可塑性ゴムで成形された櫛歯が設けられ、不織布をスポンジ面上に配した後、不織布の端部を櫛歯に押し込み固定して使用することができる。スポンジの厚みは２０ｍｍであって、作業時に押圧された際にもその厚みの５０％を維持している。
【実施例２】
【００１１】
図２に示される本考案のモップは、柄が本体に対し平行方向での固定して使用する態様を表している。ヘッド及び柄を、平行に勘合させることでＩ字型とし、隙間や遠い箇所を効率よく清掃することができる。
【実施例３】
【００１２】
図３に示される本考案のモップは、柄を本体から取り外して使用する態様を表している。手持ち使用することで、身体に近い箇所を効率よく清掃することができる。
【産業上の利用可能性】
【００１３】
研磨剤を含む内容液が効率良く研磨面に供給され、効果的かつ安定な研磨作業ができる。
【図面の簡単な説明】
【００１４】
【図１】実施例１の直交方向に固定した態様図
【図２】実施例２の平行方向に固定した態様図
【図３】実施例３の柄を本体から取り外した態様図
【符号の説明】
【００１５】
１      柄
２      ヘッド
３      櫛歯
４      スポンジ
【図１】
0003201766.tif 000003
【図２】
0003201766.tif 000004
【図３】
0003201766.tif 000005
(57)【要約】      （修正有）【課題】スーツやジャケットの胸ポケットに挿しても型崩れせず、ファッションに優れ、ＩＣカードなどを同時に携帯できるホルダー付きポケットチーフを提供する。【解決手段】高さ７〜１３センチ、幅５〜８センチのホルダー部３と、ホルダーの上部に６〜８センチの高さのチーフ部１を縫製して一体化した。【選択図】図１
0003200499.tif 000002
【実用新案登録請求の範囲】
【請求項１】
高さ7〜13センチ、幅5〜8センチのホルダー部と、ホルダーの上部に6〜8センチの高さのチーフ部を縫製して一体化したことを特徴とするホルダー付きポケットチーフ。
【考案の詳細な説明】
【技術分野】
【０００１】
本考案は、男性のスーツの上着又は、Yシャツ等の胸ポケットに差し込むだけで、オシャレを演出でき、ICカード等収納できる実用的なポケットに収納できるチーフに関する。
【背景技術】
【０００２】
従来のポケットチーフは、一枚のハンカチーフの形なので、挿し方、折り方、使い方、合わせ方等、わからない方が多く、一般的ではなかった。
【０００３】
従来のポケットチーフは、シルクプリントでのベーシックパターン（ドット・ペーズリー・小紋柄）が無い。
【０００４】
従来のポケットチーフの一部には、ネクタイ縫製時の残生地を使用し、柄等に偏りが見られ、ベーシックなパターンが見当たらず、使用中に型崩れが起こる場合があり、だらしなく見えるという問題点があった。
また単なるチーフなので、例えば交通系のICカードなどとは別々にポケットに収める必要があり、不便であるという問題点があった。
【先行技術文献】
【特許文献】
【０００５】
【特許文献１】実用新案登録第3187926号公報
【考案の概要】
【０００６】
本考案は、礼服着用時や、かしこまったり、改まった席でしか使用されていなかったポケットチーフをもっと気軽に、スーツだけでなく、カジュアルジャケットや、Yシャツなどにも誰もが簡単に使用でき、ICカード等も入れられる実用性もあり、さらにデザインも多種多様の中から選べるポケットチーフを提供することにある。
【考案が解決しようとする課題】
【０００７】
スーツやジャケットの胸ポケットに挿しても型崩れせず、ファッションに優れ、ICカードなどを同時に携帯できるホルダー付きポケットチーフを提供することにある。
【課題を解決するための手段】
【０００８】
本考案のチーフ部分は、シルク、ウール、化繊、ポリエステル、綿と幅広く使用し、シルク、織り柄、並びにプリント柄はネクタイ用の生地等を使用することができる。又、ホルダー部分は、馬、牛、豚、ワニ、羊、蛇等  動物の皮、合皮、厚紙等の紙類、プラスチック等を使用して、ICカード類の収納できるポケット部を設ける。
【０００９】
チーフとホルダー部は縫製により一体化する。縫製はミシン縫いで生地とホルダーがしっかりと固定され、織柄には特別に細い糸を使用しいて、ふわりとしたイメージを表現するのが良い。。
ホルダー部分の縫製の糸や、革も様々な色を使用し、多種多様のデザインを表現することができる。
【００１０】
サイズは、一般的なスーツジャケットやYシャツの胸ポケットのサイズに合わせてあり、ポケット部は名刺サイズの交通系ＩＣカード等が入る。
【考案の効果】
【００１１】
本考案のホルダー付きポケットチーフは、従来からあるポケットチーフの挿し方がわからない人でも、気軽にポケットに差し込むだけでオシャレ感覚を引き出せ、型崩れもないところが特徴である。
【００１２】
ノーネクタイでもホルダー付きポケットチーフを胸に挿すだけで、だらしなく見られがちなクールビズの季節でもきちっと感を印象づけられ、おしゃれ感を向上させる。
【００１３】
色やデザインが多種多様、豊富にあることにより、スーツだけでなく、カジュアルでも気軽に挿すことができ、ネクタイとも合わせやすい。
【００１４】
ビジネスとしてだけではなく、カジュアルでもお洒落で華やかに見せることができる。
ホルダー部は高さ７〜１３ｃｍ、幅が５〜８ｃｍの大きさが必要である。ホルダーのサイズはポケットに収納するのに必要十分な大きさとする。
チーフ部は６〜８ｃｍの高さが必要である。この高さのチーフを用いることにより、例えば、胸ポケットに収納したとき、華麗にかつ長時間の使用時にも型崩れせず用いることができる。
【図面の簡単な説明】
【００１５】
【図１】図１はホルダー付きポケットチーフの詳細を示した説明図である。
【図２】図２はホルダー付きポケットチーフの実施例の実写である。
【考案を実施するための形態】
【００１６】
クールビズの浸透により、ビジネスマンのVゾーンが著しくだらしなく見えることから、ビジネス用のネクタイのパターンをチーフ用として最初から専用に織り、染め、特別な糸を使用することにより、
自然なふわり感を出し、ノーネクタイでもこのホルダー付きポケットチーフを胸に挿すことで、営業や接遇において、きちんと感が表現できるようになる。
それに伴い、おしゃれで引き締まったイメージを与える。
【符号の説明】
【００１７】
1  チーフ
2  ポケット部
3  ホルダー部
4  縫製部
5  ポケット部の横幅
6  本考案の縦の長さ
【図１】
0003200499.tif 000003
【図２】
0003200499.tif 000004
(57)【要約】      （修正有）【課題】土管等をワイヤーでくくりつけ、吊り上げて土管等の積上げが簡単に行える土管等運搬具を提供する。【解決手段】第一のワイヤーロープ１と第二のワイヤーロープ２からなり、第二のワイヤーロープ２の両端のそれぞれには輪が形成されており、第一のワイヤーロープ１は二つの輪の両方にくぐらせてあり、第一のワイヤーロープ１を土管の周囲にめぐらせることにより第一のワイヤーロープ１で土管をくくることができ、そして第二のワイヤーロープ２をつり上げることにより土管をつり上げることができる。【選択図】図２
0003200407.tif 000002
【実用新案登録請求の範囲】
【請求項１】
１本のワイヤーロープの先端に輪を作り、その輪に他端のワイヤーロープを通して、先端にワイヤーロープの中間に輪を作ってくくることを特徴とする土管等運搬具。
【考案の詳細な説明】
【技術分野】
【０００１】本考案は、土管等を積上げる際に用いる運搬具に関するものである。
【背景技術】
【０００２】土管等を積上げる時、土管の端をペンチに爪の付いた物で挟んで持ち上げ積上げる方法以外にほとんど無かった。
【考案の開示】
【考案が解決しようとする課題】
【０００３】土管等を輪でくくることで前途の欠点を解決しようとするものである。
【課題を解決するための手段】
【０００４】本考案は、土管等を輪でくくることで問題点を解決している。
【考案の効果】
【０００５】上途のように、土管等を輪でくくることで積上げ、運搬に役立つ。
【考案を実施するための最良の形態】
【０００６】ワイヤーの片方の先端に輪を作り、その輪にワイヤーをくぐらせ、ワイヤーの中央部にワイヤの先端に輪を作ってワイヤーをくくる。
【実施例】
【０００７】以下、添付図面に従って実施例を説明する。１．で土管等をくくり、２．で土管等をつり上げる。【０００８】本考案の実施例は、上途の如き構成からなるものであり、土管等の積上げに便利である。
【図面の簡単な説明】
【０００９】
【図１】正面図
【図２】側面図
【図３】実施例図
【符号の説明】
【００１０】１、土管等のくくりワイヤー
２、土管等のつり上げワイヤー
【図１】
0003200407.tif 000003
【図２】
0003200407.tif 000004
【図３】
0003200407.tif 000005
【手続補正書】
【提出日】平成27年7月25日(2015.7.25)
【手続補正１】
【補正対象書類名】実用新案登録請求の範囲
【補正対象項目名】全文
【補正方法】変更
【補正の内容】
【実用新案登録請求の範囲】
【請求項１】
第一のワイヤーロープ（１）と第二のワイヤーロープ（２）からなる土管運搬具であって、
前記第二のワイヤーロープ（２）の両端のそれぞれには輪が形成されており、
前記第一のワイヤーロープ（１）は前記二つの輪の両方にくぐらせてあり、
前記第一のワイヤーロープ（１）を土管の周囲にめぐらせることにより前記第一のワイヤーロープ（１）で前記土管をくくることができ、そして前記第二のワイヤーロープ（２）をつり上げることにより前記土管をつり上げることができることを特徴とする土管運搬具。
(57)【要約】      （修正有）【課題】室外機の温度上昇を抑えることにより、冷房運転時のエアコンの性能を向上させ、消費電力の減少を推進するエアコン室外機用省エネルギー装置を提供する。【解決手段】ノズル２により水道水１からミスト３を発生させて、そのミストを２枚の多数の穴を開けたアルミ板からなる冷却ヒートシンク４に当てることでアルミ板が冷え、アルミ板周辺に冷たい空気が発生する。その冷却ヒートシンクを室外機の空気取り入れ口に備え付けて、室外機の吸引ファン７の気流に乗せて室内機熱交換フィン６を通過させる。これによりエアコン室外機の冷房運転時の熱効率を上げる。【選択図】図１
0003200406.tif 000002
【実用新案登録請求の範囲】
【請求項１】
エアコンの冷房運転時に、エアコン室外機への送風温度を外気温より低下させることにより、エアコン室外機の熱交換効率を向上させて、消費電力の減少を実現できるエアコン室外機用省エネルギー装置である。
【請求項２】
冷房運転時のエアコン室外機の熱交換効果を良くする為の形態として、エアコン室外機の外気取り入れ口に、霧状の水滴（ミスト）を発生させて、その霧状の水滴（ミスト）を２枚の穴を開けたアルミ製の金属プレートに接触させる冷却用のヒートシンクを具備する。これによりヒートポンプ室外機の吸引ファンの気流の流れにより、外気温より低い温度の空気がエアコン室外機の熱交換用フィンの中を通過して、熱交換効果良くするエアコン室外機用省エネルギー装置である。
【請求項３】
図２の４−ａ、４−ｂの２種類の穴の大きさの違うアルミ製の金属プレートからなる冷却用のヒートシンクによって、霧状の水滴（ミスト）を冷気に変換してエアコン室外機の外気取り口付近に送り出すエアコン室外機用省エネルギー装置である。
【考案の詳細な説明】
【技術分野】
【０００１】本考案は、室外機の温度上昇を抑えることにより、エアコンの性能を向上させることで、消費電力の減少を推進する事を目的として工夫したものである。
【背景技術】
【０００２】エアコン室外機の冷房運転時において、特に夏期においては気温の上昇に伴い液化行程（圧  縮・冷却）の効率が低下し、消費電力が上昇する。
【考案の概要】
【考案が解決しようとする課題】このため室外機の熱交換フィンに水道水等を散布することにより液化行程（圧縮・冷却）の効率が低下させないようにした。これにより室外機の熱交換フィンにスケール付着の問題が発生した。
【課題を解決するための手段】水道水をノズルによりミストを発生させて、そのミストを２枚の多数の穴を開けたアルミ板に当てることによりアルミ板が冷え、アルミ板周辺に冷たい空気を発生させる冷却ヒートシンクを室外機の空気取り入れ口に備え付けて、室外機の吸引ファンの気流に乗せて室内機熱交換フィンを通過させる。これによりエアコン室外機の冷房運転時の熱効率を上げる。
【図面の簡単な説明】
【図１】側面図
【図２】冷却用ヒートシンク分解図
【図３】上面図
【図４】正面図
【符号の説明】１．水管
２．ミスト発生用ノズル
３．ミスト
４．冷却用ヒートシンク
５．ミスト発生装置のカバー
６．室外機熱交換用フィン
７．室外機吸引ファン
４−ａ．室外機の空気取り入れ口側の小さなメッシュのアルミ板
４−ｂ．ミストと接触する大きなメッシュのアルミ板
【図１】
0003200406.tif 000003
【図２】
0003200406.tif 000004
【図３】
0003200406.tif 000005
【図４】
0003200406.tif 000006
【手続補正書】
【提出日】平成27年7月21日(2015.7.21)
【手続補正１】
【補正対象書類名】実用新案登録請求の範囲
【補正対象項目名】全文
【補正方法】変更
【補正の内容】
【実用新案登録請求の範囲】
【請求項１】
エアコンの冷房運転時に、エアコン室外機への送風温度を外気温より低下させるためのエアコン室外機用省エネルギー装置であって、エアコン室外機の外気取り入れ口近傍に設けられた穴を開けたアルミ製の２枚の金属プレートからなる冷却用ヒートシンクと霧状の水滴を発生させて２枚の金属プレートに接触させるミスト発生用ノズルを備えることを特徴とするエアコン室外機用省エネルギー装置。
【請求項２】
前記２枚の金属プレートに形成された穴の大きさが異なることを特徴とする請求項１に記載のエアコン室外機用省エネルギー装置。
(57)【要約】      （修正有）【課題】津波からの避難行動の際に、車椅子を必要とする避難行動要支援者とその支援者の避難行動の危険性を軽減するために、支援者が一人でも車椅子を押しながら膨張式救命ボートを運搬できるカートを提供する。【解決手段】支援者が一人でも膨張式救命ボートを運搬しながら車椅子を押して避難行動要支援者と避難できるようにするために、カートのハンドル１を連結具６と連結具が横にずれることを防ぐためのストッパー７を用いて車椅子のフレームに連結する。また、荷台の広さを変化させて、膨張させる前と後の救命ボートを両方とも運搬し易くするために、車輪２を付けた荷台３を折り畳んで掛金５で固定できる構造にする。【選択図】図１
0003200402.tif 000002
【実用新案登録請求の範囲】
【請求項１】
様々な車椅子のフレームとカートのハンドルを連結するために、可動式の連結具とそのストッパーをハンドルに取り付けた構造。
【請求項２】
膨張させる前の救命ボートを載せるのに適した荷台の広さから、膨張させた後の救命ボートを載せるのに適した荷台の広さに変えることができるようにするために、折り畳めるようにした荷台の構造。
【考案の詳細な説明】
【技術分野】
【０００１】本考案は、津波からの避難行動の際に、車椅子を必要とする避難行動要支援者の避難行動に協力する支援者が、一人でも車椅子を押しながら膨張式救命ボートを運搬できるようにするために、車椅子に連結できるようにするとともに荷台を折り畳み式にしたカートに関するものである。
【考案の概要】
【考案が解決しようとする課題】
【０００２】津波からの避難行動の際に、車椅子で避難しなければならない避難行動要支援者には支援者の協力が必要になるが、そのような支援が受けられたとしても、津波の到達予想時間よりも早く緊急避難場所まで到達できない可能性がある避難行動要支援者が存在する。また、支援者には避難行動要支援者の避難行動に協力することで自らの避難行動の危険性が高まるという問題があった。
【課題を解決するための手段】
【０００３】避難行動要支援者と支援者の津波からの避難行動の危険性を軽減するために、膨張式救命ボートを活用することが考えられるが、その活用が避難行動要支援者と支援者の車椅子および徒歩による避難行動の妨げにならないことが望ましい。そこで、支援者が一人でも、膨張させる前の救命ボートの運搬が容易であるとともに、膨張させた後の救命ボートに避難行動要支援者を乗せて運搬することも容易であるように、カートを車椅子に連結できるようにするとともにその荷台を折り畳み式にした。
【考案の効果】
【０００４】カートを車椅子に連結できるので、支援者が一人でも車椅子に乗った避難行動要支援者と避難することが可能である。また、カートの荷台が折り畳み式なので、倒壊した家屋や塀などが避難路を狭めていたとしても、折り畳み可能な荷台を折り畳むことにより、膨張させる前の救命ボートを運ぶことが容易である。そして、津波が避難行動要支援者と支援者に迫ってきたときには、折り畳まれていた荷台を展開してその上でその救命ボートを膨張させ、避難行動要支援者をその救命ボートに乗せることで、支援者がそのカートを牽きながら徒歩による避難行動を継続することができる。さらに、津波が支援者に追いついたときには、支援者もその救命ボートに乗り込むことにより避難行動要支援者とともに救命ボートの中で救助隊などによる救出を待つことができる。
【図面の簡単な説明】
【０００５】
【図１】折り畳み可能な荷台を全て折り畳んだ状態の斜視図
【図２】折り畳み可能な荷台を一部分だけ展開した状態の斜視図
【図３】折り畳み可能な荷台を全て展開した状態の斜視図
【図４】カートのハンドルと車椅子のフレームとの連結具の斜視図
【図５】カートのハンドルと車椅子のフレームを連結したときの斜視図
【考案を実施するための形態】
【０００６】カートのハンドル１に、ハンドルと車椅子のフレームとの連結具６と６が横にずれることを防ぐためのストッパー７を取り付ける。そして、車椅子のグリップ９が先端に付いているフレームを６で挟み込み、車椅子の肘掛部分のフレーム１０に載せるようにすることで、カートと車椅子を連結できるようにした。また、膨張式救命ボートを膨張させる前にも後にも運搬し易くするために、折り畳み可能な荷台３を折り畳んで掛金５で固定することで膨張させる前の救命ボートを運ぶのに適した荷台の広さにするとともに、３を展開することで膨張させた後の救命ボートを運ぶのに適した荷台の広さになるようにした。
【符号の説明】
【０００７】１    ハンドル
２    車輪
３    折り畳み可能な荷台
４    固定された荷台
５    掛金
６    ハンドルと車椅子のフレームとの連結具
７    ストッパー
８    蝶番
９    車椅子のグリップ
１０  車椅子の肘掛部分のフレーム
【図１】
0003200402.tif 000003
【図２】
0003200402.tif 000004
【図３】
0003200402.tif 000005
【図４】
0003200402.tif 000006
【図５】
0003200402.tif 000007
【手続補正書】
【提出日】平成27年7月29日(2015.7.29)
【手続補正１】
【補正対象書類名】実用新案登録請求の範囲
【補正対象項目名】全文
【補正方法】変更
【補正の内容】
【実用新案登録請求の範囲】
【請求項１】
様々な車椅子のフレームとカートのハンドルを連結するために、可動式の連結具と、その連結具の外側に連結具がずれることを防ぐためのストッパーと、をハンドルに取り付けた構造を有するカート。
【請求項２】
膨張させる前の救命ボートを載せるのに適した荷台の広さから、膨張させた後の救命ボートを載せるのに適した荷台の広さに変えることができるようにするために、折り畳めるようにした荷台を備えた、請求項１に記載のカート。
(57)【要約】      （修正有）【課題】ひとりでも簡単に装着でき、輪のサイズを調整できるブレスレットを提供する。【解決手段】チェーンの一方の端に第一のビーズ１が固定され、チェーンの他方の端に第二のビーズ２が固定され、チェーンは前記一方の端、第二のビーズ２の中心、第一のビーズ１の中心、及び前記他方の端の順番で、ビーズ１、２の中心に対して可動であるように通って輪を形成している丸型チェーンタイプのブレスレットであって、第一のビーズ１または第二のビーズ２を動かして両者の間隔を変えることにより輪のサイズを調整できる。【選択図】図１
0003200401.tif 000002
【実用新案登録請求の範囲】
【請求項１】
丸型チェーンタイプで輪のサイズを自在に変えられるブレスレット（アクセサリー）。
【考案の詳細な説明】
【技術分野】
【０００１】本考案は自在に輪のサイズを変えられる丸型チェーンブレスレットに関するものである。
【背景技術】
【０００２】ひとりでチェーンのブレスレットを装着、腕の太さに合わせて調整するには手間がかかった。
【考案の概要】
【考案が解決しようとする課題】
【０００３】従来の輪になっていないチェーンブレスレットは、装着する際にはテーブル等に腕を安定させるか、チェーンを腕に乗せ落下しないよう気を使いながら引き輪を留めなければならなかった。
輪になっている丸型のチェーンブレスレットは、腕の太さに合わせることができなかった。
【課題を解決するための手段】
【０００４】チェーン途中に２箇所の可動式ビーズを設ける。
【考案の効果】
【０００５】本考案は２箇所の可動式ビーズを設けることで、予め輪の部分に腕を通し安定させた状態で、どこでも簡単に装着、輪のサイズを調整できるようにした。
【図面の簡単な説明】
【０００６】
【図１】本考案の輪を小さくした際の正面図である。
【図２】本考案の輪を大きくした際の正面図である。
【考案を実施するための形態】
【０００７】ビーズの中心を通るチェーンは固定されておらず可動するが抵抗があるため安易には動かない。ビーズの端のチェーンはビーズに固定されている。
【実施例】
【０００８】以下、添付図面に従って一実施例を説明する。
輪の中に腕を通し１または２のビーズを動かして好みのサイズに調整する。
【符号の説明】
【０００９】１  ビーズ
２  ビーズ
【図１】
0003200401.tif 000003
【図２】
0003200401.tif 000004
【手続補正書】
【提出日】平成27年6月24日(2015.6.24)
【手続補正１】
【補正対象書類名】実用新案登録請求の範囲
【補正対象項目名】全文
【補正方法】変更
【補正の内容】
【実用新案登録請求の範囲】
【請求項１】
チェーンの一方の端に第一のビーズ（１）が固定され、チェーンの他方の端に第二のビーズ（２）が固定され、チェーンは前記一方の端、第二のビーズ（２）の中心、第一のビーズ（１）の中心、及び前記他方の端の順番で、ビーズ（１、２）の中心に対して可動であるように通って輪を形成している丸型チェーンタイプのブレスレットであって、第一のビーズ（１）または第二のビーズ（２）を動かして両者の間隔を変えることにより輪のサイズを調整できるブレスレット。
(57)【要約】      （修正有）【課題】肩甲骨の動きを考慮した、腕を動かしやすく、作業性のよい上衣を提供する。【解決手段】背部にプリーツ（折りひだ）１４を設けた点に特徴がある。後身頃は、肩布１３ａの下端部と背布１１の上端部とを背ヨーク１３にて切り替えしてある。背布１１の上部の両方の肩側は略三角形状に裁断し、この切り欠き部を補うように脇布１５の背部側を肩布１３ａ及び背布１１に縫着するが、背布を裁断線に沿って背中中央部に向けて、外側に折り返した折り返し部１１ａを設けて、脇布１５の背中側端部と縫着することでプリーツを形成してある。脇布１５の外側は袖１２及び前身頃の端部１６に縫着してある。プリーツ１４の上端は、背ヨークの背中中央部１３ｂと袖１２の根元部１２ａとの概ね中間部に位置し、プリーツの下端は脇下約５〜１０ｃｍの位置にある。【選択図】図１
0003200471.tif 000002
【実用新案登録請求の範囲】
【請求項１】
後身頃にプリーツを形成してある上衣であって、
肩布と背布とを背ヨークで切り替えすとともに、背布の肩側を斜めに切り欠いて脇布の背側を前記肩布及び背布に縫着してあり、
前記脇布と背布との縫着部にわたってプリーツを形成してあることを特徴とする上衣。
【請求項２】
前記プリーツは、肩甲骨の内側縁の位置に対応するように斜めに形成してあることを特徴とする請求項１記載の上衣。
【考案の詳細な説明】
【技術分野】
【０００１】
本考案は後身頃にプリーツ（折りひだ）を形成した上衣に関する。
【背景技術】
【０００２】
腕の動きをよくする目的で上衣にプリーツを形成したものとしては、特許文献１，２のようなものが公知である。
しかし、特許文献１は単に垂直方向と水平方向にプリーツを形成したものであり、特許文献２は単に袖の付け根廻りにプリーツを形成したものであるため、必ずしも腕の動きに合せてプリーツが伸縮するものではなく、改善の余地があった。
【先行技術文献】
【特許文献】
【０００３】
【特許文献１】実用新案登録第３０５６２６１号公報
【特許文献２】実用新案登録第３１３９１７２号公報
【考案の開示】
【考案が解決しようとする課題】
【０００４】
本考案は、肩甲骨の動きを考慮した腕の動作及び作業性のよい上衣の提供を目的とする。
【課題を解決するための手段】
【０００５】
本考案に係る上衣は、後身頃にプリーツを形成してある上衣であって、肩布と背布とを背ヨークで切り替えすとともに、背布の肩側を斜めに切り欠いて脇布の背側を前記肩布及び背布に縫着してあり、前記脇布と背布との縫着部にわたってプリーツを形成してあることを特徴とする。
【０００６】
ここで、前記プリーツは、肩甲骨の内側縁の位置に対応するように斜めに形成してあるのが好ましい。
【考案の効果】
【０００７】
本考案に係る上衣にあっては、腕の上下動作に伴って肩甲骨が旋回する際に生じる上衣の背中の部分の不足及び腕の前後動作に伴って肩甲骨が背中中央より脇に滑るように移動する際に生じる上衣の脇下の部分の不足を捕足できるプリーツを備えているので腕を動かしやすく、作業性に優れる。
【図面の簡単な説明】
【０００８】
【図１】本考案に係る上衣を背側から見た図を示す。
【図２】上衣の前側の構成例を示す。
【図３】（ａ），（ｂ）は上腕骨の動きに伴う肩甲骨の動きを模式的に示す。
【図４】（ａ）〜（ｃ）は腕の動きに対するプリーツの動きを示す。
【考案を実施するための最良の形態】
【０００９】
本考案に係る上衣１０の例を図１，図２に示す。
本考案は背部にプリーツ（折りひだ）１４を設けた点に特徴がある。
図１に示すように後身頃は、肩布１３ａの下端部と背布１１の上端部とを背ヨーク１３にて切り替えしてある。
背布１１の上部の両方の肩側は略三角形状に裁断し、この切り欠き部を補うように脇布１５の背部側を肩布１３ａ及び背布１１に縫着するが、その際に図１（ａ）に示すように背布を裁断線に沿って背中中央部に向けて、外側に折り返した折り返し部１１ａを設けて、脇布１５の背中側端部と縫着することでプリーツを形成してある。
脇布１５の外側は袖１２及び図１（ｃ）に示すように前身頃の端部１６に縫着してある。
プリーツ１４の上端は、背ヨークの背中中央部１３ｂと袖１２の根元部１２ａとの概ね中間部に位置し、プリーツの下端は脇下約５〜１０ｃｍの位置にある。
【００１０】
次に、このようにプリーツを形成した背景を説明する。
図３に肩甲骨１及び上腕骨２を模式的に示す。
肩甲骨１は上角１ａ、下角１ｃ及び肩峰１ｂからなり、内側縁１ｄと外側縁１ｅを有する。
腕を上に挙げると、上腕骨２が図３（ｂ）のようになり、肩甲骨１が図１（ｂ）のように旋回する。
すると上角１ａを基点にして肩峰１ｂが上がり、下角１ｃが脇に移動する。
この動きを上衣に対応させたのが図４（ｃ）であるＣを基点にして、Ｄ部が上がり、Ｂ部が移動する。
この時のＢ部の移動量を補足するようにプリーツ１４の下部側が移動（開く）する。
また、腕を前方に出すように動作すると、肩甲骨が外転することで下角１ｃが脇に移動する。
この動きを上衣に合わせたのが図４（ｂ）である。
下角１ｃの脇への移動によるＡの移動量を補足するようにプリーツ１４が移動（開く）する。
このように、本考案に係るプリーツは肩甲骨の動きを考慮して設定されているので腕を動かしやすく作業性に優れる。
【符号の説明】
【００１１】
１        肩甲骨
１ａ      上角
１ｂ      肩峰
１ｃ      下角
１ｄ      内側縁
１ｅ      外側縁
２        上腕骨
１０      上衣
１１      背布
１２      袖
１３      背ヨーク
１３ａ    肩布
１４      プリーツ（折りひだ部）
１５      脇布
【図１】
0003200471.tif 000003
【図２】
0003200471.tif 000004
【図３】
0003200471.tif 000005
【図４】
0003200471.tif 000006
(57)【要約】      （修正有）【課題】複数のログ材を簡単に組み合わせることが可能となり完成までの時間短縮と作業員数の削減の両方ができるログハウスを提供する。【解決手段】複数のログ材２を縦方向に交互に重ね合わせることにより建造されたログハウスであり、土台側面上部から逆方向側面に向けて貫通しないように凹型の切れ込みを入れ、当該凹型切れ込みに直交するように当該土台上面の長手方向に凹型溝加工を施し、縦方向に積み重ねるログ材２下面には土台の各凹型溝に挿入し移動可能な凸型レール加工を施し、ログ材２の凸型レールを凹型の切れ込みから挿入し凹型溝に沿って複数積み重ねて構成される縦型ログ工法により立設される。ログ材２下面に凸型レールと土台上面に溝を設けることで組立て時間を大幅に短縮する。【選択図】図３
0003200440.tif 000002
【実用新案登録請求の範囲】
【請求項１】
複数のログ材を縦方向に交互に重ね合わせることにより建造されたログハウスであり、土台側面上部から逆方向側面に向けて貫通しないように凹型の切れ込み（１）を入れ、当該凹型切れ込みに直行するように当該土台上面の長手方向に凹型溝（２）加工を施し、縦方向に積み重ねるログ材下面には前記土台の各凹型溝に挿入し移動可能な凸型レール（３）加工を施し、前記ログ材の凸型レールを凹型の切れ込み（１）から挿入し凹型溝（２）に沿って複数積み重ねて構成される縦型ログ工法により立設されるログハウス
【請求項２】
前記土台長手方向の凹型溝（２）形状断面が上底の短い台形形状であり、前記ログ材の凸型レール（３）の形状が前記凹型溝（２）形状と逆形状の台形となることを特徴とする請求項１記載のログハウス。
【請求項３】
複数のログ材を縦方向に交互に交差させながら積み重ねて完成させた壁に対して凹型溝を有する桁で前記壁上部を固定させる請求項１記載のログハウス。
【考案の詳細な説明】
【技術分野】
【０００１】本考案は、複数のログ材を縦方向に交互に重ねあわせることにより建造されたログハウスに関する。
【背景技術】
【０００２】従来のログハウスの外壁は、丸ログ若しくは角ログを横方向に寝かせ積み上げて建造する工法を採用している。
【先行技術文献】
【特許文献】
【０００３】
【特許文献１】特許公開２００４−２７７８７号
【０００４】
【考案の概要】
【考案が解決しようとする課題】
【０００５】従来から採用されている横組工法の最大の欠点は、使用したログ材が徐々に乾燥していくため丸太ログで７年間に１４センチ、角ログは５年間で７センチ縮小する。そのためハウス全体に隙間が生じ、若しくはハウス自体が縮むことになる。【０００６】特許文献１は上記課題を解決するために従来工法である横組を縦組にする方法が提案されている。しかし、ログ材の縦型工法は横型組立に比較して組立作業が難しいため完成までに時間を要すること及び人手が掛かることが新たな課題となっている。
【課題を解決するための手段】
【０００８】上記課題に鑑み、考案者は誠意工夫の結果、ログ材下面に凸型レールと土台上面に溝を設けることで組み立て時間の大幅な削減と人員削減のいずれも克服できる新しい縦型ログの工法を見出した。【０００９】具体的には、土台の溝部を台形形状とし当該台形の溝に沿ってログ材料をスライド移動させるための逆形状させた台形形状凸型レールを備えることにより土台長手方向の溝に組み込んだログ材は土台上面方向には引き出すことが出来ないためハウス自体が安定する。【００１０】前記土台上にログ材を組み合わせて成る壁に対して当該壁上部を挟み込めるように凹型溝を施した桁により固定されるため更にハウス自体の強度が増加する構造となっている。
【考案の効果】
【００１１】本考案の工法にて複数のログ材を簡単に組み合わせること可能となり完成までの時間短縮と作業員数の削減の両方の課題を解決できる。
【図面の簡単な説明】
【００１２】
【図１】本考案による一実施例であり土台上面に溝加工を施した図である。
【図２】左は土台をＡ方向、右は土台をＢ方向から観察した溝構造を示す。
【図３】ログ材を示す。
【図４】ログ材を土台に立設している状況を示す。
【図５】ログ材上部を凹型形状の桁にて固定した状況を示す。
【図６】凹型形状の桁にてログ材を固定した断面を示す。
【図７】凹型形状の桁と屋根柱の固定した状況を示す。
【考案を実施するための形態】
【００１３】以下、本考案に係る実施の形態を図面により説明する。
【実施例】
【００１４】凹型溝加工を具備したログハウス土台（１）を図１に示す。土台（１）に対して長手方向（Ａ）と垂直方向（Ｂ）から観察した凹型溝の形状を図２に示す。長手方向（Ａ）から観察した凹型溝の形状は台形型であり垂直方向（Ｂ）から観察した凹型溝形状はコ型としている。【００１５】  ログ材に関しては、図３に示すように当該ログ材下面には図２左図に示した台形形状に挿入できるように逆台形形状のレールを備える。一方、当該ログ材の側面には凸型レール部と凹型溝部がログ材長手方向に施されている。【００１６】前記ログ材下面に施した凸型レール（Ｃ方向）をログハウス土台（１）のＢ方向から差込、長手方向の台形形状の溝部に沿って順次組み合わせていくことで図４に示すように壁が完成する。ログ材通しの組み合わせは一方の凸部レールと他方の溝部が噛み合うように組み合わせる。【００１７】次に、土台（１）上に複数のログ材を組み合わせて完成した壁に対して図５に示すように壁上部の複数のログ材を挟み込めるように凹型溝を施した桁（４）により固定する。図６は桁（４）によりログ材を挟み込んだ断面図を示す。【００１８】  図７は屋根構造断面を示すが桁（４）に段差を設けることに垂木兼野地板（６）を安定して支えることが可能となる。
【符号の説明】
【００１８】１    土台
２    ログ材
３    コーナー柱
４    ログ材上部固定用の桁
５    基礎
６    垂木兼野地板
Ａ    土台長手方向から観察した溝断面を示す
Ｂ    土台長手方向と垂直方向から観察した溝断面図を示す。
Ｃ    壁面になる方向
【図１】
0003200440.tif 000003
【図２】
0003200440.tif 000004
【図３】
0003200440.tif 000005
【図４】
0003200440.tif 000006
【図５】
0003200440.tif 000007
【図６】
0003200440.tif 000008
【図７】
0003200440.tif 000009